(57)【要約】【課題】獲得する景品を確かめながらスポーツ感覚でつかみ取りゲームを楽しむことが出来る景品つかみ取りゲーム装置を提供する。【解決手段】景品格納ケース内部４０を仕切材４３によって上側の景品載置室４１と下側の昇降駆動室４２とに上下２段に区画し、昇降駆動室４２に仕切材４３を昇降駆動する昇降駆動装置２２を設け、景品載置室の上側に手を差し込むための手差込み口２１を開け、手差込み口２１を開閉する扉４４と、その扉を開閉駆動する開閉駆動装置２３と、手差込み口２１に介在する物体を感知する差込確認センサー１１と、昇降駆動装置２２と開閉駆動装置２３と差込確認センサー１１をオン・オフする原動入力手段１０を設ける。景品載置室４１は、仕切材４３と共に手差込み口２１に手を差し込むと降下し始め、差し込んだ手から景品４５が次第に遠のくので、手差込み口２１に手を差し込んだ瞬間から、景品４５をつかみ取るチャンスを楽しむことが出来る。【選択図】図１
2008125667.tif 000002
【特許請求の範囲】
【請求項１】
（ａ）  景品格納ケース（４０）の内部の上側が景品（４５）を載置する景品載置室（４１）になっており、
（ｂ）  景品載置室（４１）の上側に手を差し込んで景品（４５）をつかみ取りするための手差込み口（２１）が開けられており、
（ｃ）  景品載置室（４１）の床面が昇降する景品つかみ取りゲーム装置。
【請求項２】
（ｄ）  景品格納ケース内部（４０）が、仕切材（４３）によって上側の景品載置室（４１）と下側の昇降駆動室（４２）とに上下２段に区画され、
（ｅ）  仕切材（４３）を昇降駆動する昇降駆動装置（２２）が、昇降駆動室（４２）に設けられており、
（ｆ）  手を差し込むための手差込み口（２１）が、景品載置室（４１）の上側に開けられており、
（ｇ）  手差込み口（２１）を開閉する扉（４４）と、その扉（４４）を開閉駆動する開閉駆動装置（２３）と、その手差込み口（２１）に介在する物体を感知する差込確認センサー（１１）と、昇降駆動装置（２２）と開閉駆動装置（２３）と差込確認センサー（１１）をオン・オフする原動入力手段（１０）とを具備する前掲請求項１記載の景品つかみ取りゲーム装置。
【請求項３】
（ｈ）  昇降駆動装置（２２）に昇降駆動される仕切材（４３）の降下位置を確認する降下確認センサー（１２）と、仕切材（４３）の上昇位置を確認する上昇確認センサー（１４）と、開閉駆動装置（２３）に駆動される扉（４４）の閉鎖位置を確認する閉鎖確認センサー（１３）を具備し、
（ｉ）  昇降駆動装置（２２）が、差込確認センサー（１１からの降下指示信号（１）を受けて仕切材（４３）を降下駆動し、閉鎖確認センサー（１３）からの上昇指示信号（３）を受けて仕切材（４３）を上昇駆動し、
（ｊ）  開閉駆動装置（２３）が、原動入力手段（１０）からの入力信号（５）を受けて扉（４４）を開き、降下確認センサー（１２）からの閉鎖指示信号（２）を受けて扉（４４）を閉鎖し、
（ｋ）  原動入力手段（１０）が、上昇確認センサー（１４）からの終了指示信号（４）を受けてオフ状態になる前掲請求項２記載の景品つかみ取りゲーム装置。
【請求項４】
（ｌ）  昇降駆動装置（２２）の受ける降下指示信号（１）の伝達時間を遅らせる遅延素子（３１）、
（ｍ）  開閉駆動装置（２３）の受ける閉鎖指示信号（２）の伝達時間を遅らせる遅延素子（３２）、
（ｎ）  開閉駆動装置（２３）の受ける入力信号（５）の伝達時間を遅らせる遅延素子（３０）の何れかの遅延素子を具備する前掲請求項３に記載の景品つかみ取りゲーム装置。
【請求項５】
（ｏ）  手差込み口（２１）が、景品格納ケース（４０）の天板（４８）に設けられており、
（ｐ）  扉（４４）が、天板（４８）の裏面に沿って回転し、手差込み口（２１）に回転移動して重なる位置に開閉口（４６）の開けられた回転板（４７）によって形成されている前掲請求項１と２と３と４の何れかに記載の景品つかみ取りゲーム装置。
【請求項６】
（ｑ）  回転板（４７）の回転方向を一方向に規制する回転方向規制手段を具備する前掲請求項５に記載の景品つかみ取りゲーム装置。
【発明の詳細な説明】
【技術分野】
【０００１】
本発明は、ケース内部に格納されている景品をつかみ取りするゲーム装置に関するものである。
【背景技術】
【０００２】
ケースの上側に手差込み口を開け、手差込み口から手を差し込んでケース内部の景品をつかみ取りするゲームは周知である。
そのゲームの楽しみを増すために、ケース内部に送風機を設け、景品をケース内部で浮遊させるゲーム装置が提案されている（例えば、特許文献１参照）。
【０００３】
【特許文献１】特開平１０−０８０５１８号公報
【発明の開示】
【発明が解決しようとする課題】
【０００４】
上記特許文献１に開示されたゲーム装置では、ケース内部で景品が浮遊しているので、スポーツ感覚でつかみ取りゲームを楽しむことが出来る。
しかし、そのゲーム装置では、景品が浮遊し得る軽く小さい品物に限られる。
そして、景品に代わる景品引換券を浮遊させる場合は、つかみ取る引換券に引き換えられる品物をゲーム中に確かめることが出来ず、その楽しみは籖引き程度の楽しみに過ぎず、ケース内部に送風機を設ける意味が薄れる。
【０００５】
そこで、本発明は獲得する景品を確かめながらスポーツ感覚でつかみ取りゲームを楽しむことが出来る景品つかみ取りゲーム装置を提供しようとするものである。
【課題を解決するための手段】
【０００６】
本発明に係る景品つかみ取りゲーム装置は、（ａ）  景品格納ケース４０の内部の上側が景品４５を載置する景品載置室４１になっており、（ｂ）  景品載置室４１の上側に手を差し込んで景品４５をつかみ取りするための手差込み口２１が開けられており、（ｃ）
景品載置室４１の床面が昇降することを第１の特徴とする。
【０００７】
本発明に係る景品つかみ取りゲーム装置の第２の特徴は、上記第１の特徴に加えて、（ｄ）  景品格納ケース内部４０が、仕切材４３によって上側の景品載置室４１と下側の昇降駆動室４２とに上下２段に区画され、（ｅ）  仕切材４３を昇降駆動する昇降駆動装置２２が、昇降駆動室４２に設けられており、（ｆ）  手を差し込むための手差込み口２１が、景品載置室４１の上側に開けられており、（ｇ）  手差込み口２１を開閉する扉４４と、その扉４４を開閉駆動する開閉駆動装置２３と、その手差込み口２１に介在する物体を感知する差込確認センサー１１と、昇降駆動装置２２と開閉駆動装置２３と差込確認センサー１１をオン・オフする原動入力手段１０とを具備する点にある。
【０００８】
本発明に係る景品つかみ取りゲーム装置の第３の特徴は、上記第２の特徴に加えて、（ｈ）  昇降駆動装置２２に昇降駆動される仕切材４３の降下位置を確認する降下確認センサー１２と、仕切材４３の上昇位置を確認する上昇確認センサー１４と、開閉駆動装置２３に駆動される扉４４の閉鎖位置を確認する閉鎖確認センサー１３を具備し、（ｉ）  昇降駆動装置２２が、差込確認センサー１１からの降下指示信号１を受けて仕切材４３を降下駆動し、閉鎖確認センサー１３からの上昇指示信号３を受けて仕切材４３を上昇駆動し、（ｊ）  開閉駆動装置２３が、原動入力手段１０からの入力信号５を受けて扉４４を開き、降下確認センサー１２からの閉鎖指示信号２を受けて扉４４を閉鎖し、（ｋ）  入力手段１０が、上昇確認センサー１４からの終了指示信号４を受けてオフ状態になる点にある。
【０００９】
本発明に係る景品つかみ取りゲーム装置の第４の特徴は、上記第３の特徴に加えて、（ｌ）  昇降駆動装置２２の受ける降下指示信号１の伝達時間を遅らせる遅延素子３１、（ｍ）  開閉駆動装置２３の受ける閉鎖指示信号２の伝達時間を遅らせる遅延素子３２、（ｎ）  開閉駆動装置２３の受ける入力信号５の伝達時間を遅らせる遅延素子３０の何れかの遅延素子を具備する点にある。
【００１０】
本発明に係る景品つかみ取りゲーム装置の第５の特徴は、上記第１、第２、第３および第４の何れかの第２の特徴に加えて、（ｏ）  手差込み口２１が、景品格納ケース４０の天板４８に設けられており、（ｐ）  扉４４が、天板４８の裏面に沿って回転し、手差込み口２１に回転移動して重なる位置に開閉口４６の開けられた回転板４７によって形成されている点にある。
【００１１】
本発明に係る景品つかみ取りゲーム装置の第６の特徴は、上記第５の特徴に加えて、（ｑ）  回転板４７の回転方向を一方向に規制する回転方向規制手段を具備する点にある。
【発明の効果】
【００１２】
本発明（請求項１）の景品つかみ取りゲーム装置では、景品４５が昇降し、景品４５と手の距離が変化し、景品４５に手が届くチャンスを伺うことになるので、獲得する景品４５を確かめながらスポーツ感覚でつかみ取りゲームを楽しむことが出来る。
【００１３】
本発明（請求項２）の景品つかみ取りゲーム装置では、景品載置室４１の上側の手差込み口２１の扉４４が開かれ、そこから手を差し込んで景品載置室４１の景品４５をつかみ取りすることが出来、その差し込んだ手を差込確認センサー１１が感知してゲームが開始される。
そのゲーム中には、景品載置室４１が仕切材４３と共に昇降し、景品載置室４１と共に景品４５も昇降し、景品４５と手の距離が変化する。
その景品４５は、景品載置室４１に載置されるものであり、大きさや重さによって景品４５にする品物が限定されることがなく、その景品４５の品数を増やし、獲得する景品４５を選択する楽しみを味わうことが出来る。
【００１４】
本発明（請求項３）では、昇降駆動装置２２に昇降駆動される仕切材４３の降下位置を確認する降下確認センサー１２と、仕切材４３の上昇位置を確認する上昇確認センサー１４と、開閉駆動装置２３に駆動される扉４４の閉鎖位置を確認する閉鎖確認センサー１３をゲーム装置に設け、昇降駆動装置２２を差込確認センサー１１からの降下指示信号１を受けて仕切材４３を降下駆動し、閉鎖確認センサー１３からの上昇指示信号３を受けて仕切材４３を昇降駆動装置２２によって上昇駆動し、原動入力手段１０からの入力信号５を受ける開閉駆動装置２３よって扉４４を開き、降下確認センサー１２からの閉鎖指示信号２を受ける開閉駆動装置２３よって扉４４を閉鎖し、上昇確認センサー１４からの終了指示信号４を受ける入力手段１０によってゲーム装置をオフ状態になるようにしたので、ゲーム開始から終了までゲーム装置が無人化され、ゲーム装置の管理コストが軽減する。
【００１５】
本発明（請求項４）では、昇降駆動装置２２の受ける降下指示信号１の伝達時間を遅らせる遅延素子３１を具備し、扉４４が開かれてからつかみ取りしようとする景品４５の品定めをする機会が与えられ、その品定めをする楽しみを味わうことが出来る。
又、開閉駆動装置２３の受ける閉鎖指示信号２の伝達時間を遅らせる遅延素子３２を具備し、手が届かない程度の深さに景品４５が降下してなお暫く景品載置室４１を開放状態にすることが出来るので、景品載置室４１の奥底にある景品４５を眺めてゲームの余韻を楽しむことが出来、又、次にゲームにチャレンジする意欲をかきたて、つかみ取りゲームを一層楽しいものとすることが出来、そして又、暫く開放状態にあるので、閉じる扉４４に手が挟まれる危険も回避される。
又、開閉駆動装置２３の受ける入力信号５の伝達時間を遅らせる遅延素子３０を具備するので、慌てずにゲームを開始することが出来る。
【００１６】
本発明（請求項５）では、手差込み口２１が景品格納ケース４０の天板４８に設けられており、天板４８の裏面に沿って回転し、手差込み口２１に回転移動して重なる位置に開閉口４６の開けられた回転板４７によって扉４４が形成されており、その回転する平面内で扉４４が開閉するので、扉４４が３次元空間で開閉する場合のように、扉４４の開閉のために格別スペースを必要とせず、景品載置室内４１を広く活用することが出来る。
【００１７】
本発明（請求項６）では、回転板４７の回転方向を一方向に規制する回転方向規制手段を具備するので、閉まりかけた扉４４が押し開け難くなり、選択を誤って欲しいと思わなかった景品４５をつかみ取っても諦め易く、又、景品４５の不当取得の機会を回避し易くなる。
【発明を実施するための最良の形態】
【００１８】
景品格納ケース４０の天板４８には、景品載置室４１の景品４５を覗き見ることが出来るプラスチックやガラス板、メッシュ（網目）板等の透視性資材を使用するとよい。
透明プラスチック板や透明ガラス板を使用するときは、その厚みを部分的に変え、プリズム効果によって内部の景品４５が朧に目に映るようにすると、ゲーム開始前に獲得しようとする景品４５の品定めを楽しむことが出来る。
そのように透視性天板４８の裏面に沿って回転する回転板４７を扉４４とする場合には、その回転板４７にも、天板４８と同様に、プラスチックやガラス板、メッシュ（網目）板等の透視性資材を使用する。
【００１９】
回転板４７には、手差込み口２１に回転移動して重なる複数箇所に開閉口４６ａ・４６ｂ・４６ｃ………を設け、その隣り合う開閉口４６ａ−４６ｂ（４６ｂ−４６ｃ，４６ｃ−４６ａ）の間に扉４４ａ（４４ｂ，４４ｃ………）を設けると、手差込み口２１を開閉するために回転板４７を１回転させずに済み、ゲーム間の待機時間を短縮することが出来る。
【００２０】
景品載置室４１の床面４９は、景品格納ケース内部４０を景品載置室４１と下側の昇降駆動室４２とに仕切る仕切材４３によって構成することが出来る。
仕切材４３の上には、景品４５を入れた籠や匡等の容器を載置することが出来、その容器の底板をもって景品載置室の床面４９とすることも出来る。
【実施例】
【００２１】
回転板４７を扉４４とする場合、その回転方向を一方向に規制する回転方向規制手段には、一方向クラッチやラチェットを適用することが出来、回転板４７をモーター５０によって回転駆動する場合は、そのモーター５０が回転方向規制手段を兼ねることにもなり、又、モーター５０から回転板４７に至る動力伝達経路に一方向クラッチやラチェットを適用することも出来、或いは又、向き合う景品格納ケース４０の内壁５１と回転板４７の周縁５２の何れか一方にラチェット爪を設け、その他方にラチェット・ラック歯を設けて回転方向規制手段を構成することも出来る。
【００２２】
仕切材４３を昇降駆動する昇降駆動装置２２には、油圧シリンダーやエアーシリンダー、ネジ機構、リンク機構、カム機構、巻き掛け伝導機構等が適用される。
図１〜図３に図示する昇降駆動装置２２は、モーター５３によって駆動されるパンタグラフ５４よって構成されている。
図において、符号５５は、モーター５３に回転駆動されるスクリューボルトを示し、符号５６は、スクリューボルト５５に係合して移動するスクリューナットを示し、スクリューナット５６の移動によってパンタグラフ５４が上下方向に伸縮し、仕切材４３が昇降する仕組みになっている。
【００２３】
昇降駆動装置２２に昇降駆動される仕切材４３の降下位置を確認する降下確認センサー１２と、仕切材４３の上昇位置を確認する上昇確認センサー１４は、それぞれスクリューナット５６が移動するスクリューボルト５５の先端と後端に設置される。
【００２４】
景品格納ケース４０の天板４８には回転板４７が軸支されており、回転板４７の周縁５２は、景品格納ケース４０の内壁５１に突設した複数個のロール５７によって支えられている。
景品格納ケース４０の内壁５１には、モーター５０に駆動されて回転板４７に転がり接触する駆動ロール５８とバックアップロール５９が突設されており、回転板４７は、駆動ロール５８とバックアップロール５９に挟圧されて、モーター５０に回転駆動されるようになっている。
図において、符号６０は、回転板４７を軸支する支軸である。
【００２５】
手差込み口２１に介在する物体を感知する差込確認センサー１１と、開閉駆動装置２３に駆動される扉４４の閉鎖位置を確認する閉鎖確認センサー１３は、手差込み口２１の周辺に配置される。
【００２６】
昇降駆動装置２２は、差込確認センサー１１からの降下指示信号１を受けて仕切材４３を降下駆動し、閉鎖確認センサー１３からの上昇指示信号３を受けて仕切材４３を上昇駆動する。
開閉駆動装置２３は、原動入力手段１０からの入力信号５を受けて扉４４を開き、降下確認センサー１２からの閉鎖指示信号２を受けて扉４４を閉鎖する。
入力手段１０は、上昇確認センサー１４からの終了指示信号４を受けてオフ状態になる。
図６は、入力手段１０のブロック図であり、符号２０は、景品つかみ取りゲーム装置の電源を接続する入力釦（スイッチ）を図示し、符号２４は、景品つかみ取りゲーム装置の電源を遮断する停止釦（スイッチ）を図示する。
【図面の簡単な説明】
【００２７】
【図１】本発明に係る景品つかみ取りゲーム装置の断面側面図である。
【図２】本発明に係る景品つかみ取りゲーム装置の断面側面図である。
【図３】本発明に係る景品つかみ取りゲーム装置の透視斜視図である。
【図４】本発明に係る景品つかみ取りゲーム装置の一部切截平面図である。
【図５】本発明に係る景品つかみ取りゲーム装置の要部平面図である。
【図６】本発明に係る景品つかみ取りゲーム装置の入力手段のブロック図である。
【符号の説明】
【００２８】
１  降下指示信号
２  閉鎖指示信号
３  上昇指示信号
４  終了指示信号
５  入力信号
１０  （原動）入力手段
１１  差込確認センサー
１２  降下確認センサー
１３  閉鎖確認センサー
１４  上昇確認センサー
２０  入力釦
２１  手差込み口
２２  昇降駆動装置
２３  開閉駆動装置
２４  停止釦
３０  遅延素子
３１  遅延素子
３２  遅延素子
４０  景品格納ケース
４１  景品載置室
４２  昇降駆動室
４３  仕切材
４４  扉
４５  景品
４６  開閉口
４７  回転板
４８  天板
４９  床面
５０  モーター
５１  内壁
５２  周縁
５３  モーター
５４  パンタグラフ
５５  スクリューボルト
５６  スクリューナット
５７  ロール
５８  駆動ロール
５９  バックアップロール
６０  支軸
【図１】
2008125667.tif 000003
【図２】
2008125667.tif 000004
【図３】
2008125667.tif 000005
【図４】
2008125667.tif 000006
【図５】
2008125667.tif 000007
【図６】
2008125667.tif 000008